(57)【要約】【課題】  外観的にシンプルな且つ冷却水の供給がより短かい通路長さで行える自動二輪車に好適なレジャービィークル用エンジンを提供することを目的とする。【解決手段】  クランクケース２が少なくとも２分割され、該２分割されたクランクケース２の間にクランクシャフト１を回転自在に保持するように複数のメインジャーナル固定ボルト４によってクランクケース側に取着した、４サイクルエンジンＥであり、複数のメインジャーナル固定ボルト４による取着領域の下方に、オイルポンプ７を配置するとともに、このオイルポンプ７の回転軸７Ｓに対して、ウォーターポンプ９の回転軸９Ｓが同軸上になるよう該ウォーターポンプ９を、オイルポンプ７の側方に、配置した。【選択図】        図１
2007107492.tif 000002
【特許請求の範囲】
【請求項１】
クランクケースが少なくとも２分割され、該２分割されたクランクケースの間にクランクシャフトを回転自在に保持するように複数のメインジャーナル固定ボルトによってクランクケース側に該クランクシャフトを取着した、レジャービィークル用の４サイクルエンジンであって、
前記複数のメインジャーナル固定ボルトによる取着領域の下方に、オイルポンプを配置するとともに、このオイルポンプの回転軸に対して、ウォーターポンプの回転軸が同軸上になるよう該ウォーターポンプを前記オイルポンプの側方に配置したことを特徴とするエンジン。
【請求項２】
前記オイルポンプが前記クランクケースと別体に構成されていることを特徴とする請求項１記載のエンジン。
【請求項３】
前記ウォーターポンプが前記クランクケースと別体に構成されていることを特徴とする請求項１又は２記載のエンジン。
【請求項４】
前記ウォーターポンプの吐出口が、前記クランクケースの壁内に形成された冷却水通路の供給口に直接接続されていることを特徴とする請求項１〜３のいずれか１の項に記載のエンジン。
【請求項５】
前記冷却水通路が、前記クランクケースの前壁に沿って下方から上方へ向けて形成されていることを特徴とする請求項４記載のエンジン。
【請求項６】
前記冷却水通路が、前記クランクケースの後壁に沿って下方から上方へ向けて形成されていることを特徴とする請求項４記載のエンジン。
【発明の詳細な説明】
【技術分野】
【０００１】
本発明は、自動二輪車、自動三輪車等のレジャービィークル用、特に自動二輪車用として好適な、液冷式の４サイクルエンジンに関する。
【背景技術】
【０００２】
レジャービィークル、例えば、自動二輪車用の４サイクルエンジンは、性能はもとより、その外観の美しさが、評価の重要なポイントの一つになっている。
【０００３】
このような状況下において、水冷式の４サイクルエンジンの場合、ウォーターポンプは専らエンジン本体の外方に該エンジン本体と離間した別体状に配設され、このウォーターポンプの吸入口は、自動二輪車の前輪後方に配置されたラジエータの吐出口と、ゴムホースによって接続され、また、前記ウォーターポンプの吐出口は、ゴムホースを介して、エンジンのシリンダあるいはシリンダヘッドに設けられた冷却水通路の供給口と接続されている（特許文献１参照）。
【特許文献１】特開２００４−３３０９９０号公報。
【発明の開示】
【発明が解決しようとする課題】
【０００４】
前述のように、エンジンの外方をゴムホースが延設されていると、カウリングのない自動二輪車の場合には、一般に「黒色」をし外観上目立つ「ゴムホース」によって、自動二輪車の外観美が損なわれてしまうことがある。また、ゴムホースの場合、エンジンの振動に起因して該ゴムホースが干渉物に擦れることによって発生する磨耗対策などが必要となる。
【０００５】
本発明はこのような状況に鑑みておこなわれたもので、外観的にシンプルですっきりした且つ冷却水の供給がより短かい通路長さで行える自動二輪車に好適なレジャービィークル用エンジンを提供することを目的とする。
【課題を解決するための手段】
【０００６】
前記本発明の目的は、以下の構成からなるレジャービィークル用エンジンによって解決される。つまり、本発明にかかるレジャービィークル用エンジンは、クランクケースが少なくとも２分割され、該２分割されたクランクケースの間にクランクシャフトを回転自在に保持するように複数のメインジャーナル固定ボルトによってクランクケース側に該クランクシャフトを取着した、レジャービィークル用の４サイクルエンジンであって、
前記複数のメインジャーナル固定ボルトによる取着領域の下方に、オイルポンプを配置するとともに、このオイルポンプの回転軸に対して、ウォーターポンプの回転軸が同軸上になるよう該ウォーターポンプを前記オイルポンプの側方に配置したことを特徴とする。
【０００７】
前述のように構成された本発明にかかるレジャービィークル用エンジンによると、一般にクランクシャフトを回転自在に支持する一対のメインジャーナル軸受（ベアリング）を該メインジャーナル１つ当たり２本のメインジャーナル固定ボルト（メインジャーナル軸受用の固定ボルトをいう）で固定するが、そのメインジャーナル軸受固定ボルトの取着領域の下方に、オイルポンプが位置されるため、それと同軸上に回転軸を有するように配置されるウォーターポンプは、エンジンのクランクケースの側部に外観上エンジン本体と一体感をもって配置することができる。そして、このような位置にウォーターポンプが配置されると、このウォーターポンプの吐出口をクランクケース壁内に形成した冷却水通路の供給口と、直接、つまりゴムホースを介することなく接続することが可能となる。
【０００８】
このため、ウォーターポンプとエンジン本体との間にゴムホースが露出して配置されることはなく、従って、外観上、極めてシンプルな外観を呈することが可能となる。
また、冷却水も、エンジン壁内の剛体からなる冷却水通路のみを通ってシリンダやシリンダヘッド側へ供給されるため、極めてスムーズに供給されることになる。
【０００９】
また、前記レジャービィークル用エンジンにおいて、前記オイルポンプが前記クランクケースと別体に構成されていると、オーバーホールをおこなう際にも、このオイルポンプを取着しているボルトを取り外すことによって、簡単にエンジン本体から該オイルポンプを取り外すことができ、かかる状態では、前記メインジャーナル固定用ボルトを、クランクケース下方から容易に取り外すことが可能となる。つまり、オーバホールが容易なエンジンとなる。
【００１０】
また、前記レジャービィークル用エンジンにおいて、前記ウォーターポンプが前記クランクケースと別体に構成されていると、同様にオーバホールする際に、あるいはウォーターポンプの点検をおこなう際に、容易にエンジン本体から取り外して、簡単に実施することができるエンジンとなる。
【００１１】
また、前記レジャービィークル用エンジンにおいて、前記ウォーターポンプの吐出口が、前記クランクケースの壁内に形成された冷却水通路（ウォータジャケット等）の供給口に直接接続されていると、好ましい実施形態となる。
【００１２】
また、前記レジャービィークル用エンジンにおいて、前記冷却水通路が、前記クランクケースの前壁に沿って下方から上方へ向けて形成されていると、ウォーターポンプの吐出口から容易にエンジンの上方部位の要冷却部位（シリンダやシリンダヘッド等）へ供給できる構成を実現できる。
【００１３】
また、本発明にかかるレジャービィークル用エンジンにおいて、前記冷却水通路が、クランクケースの後壁に沿って下方から上方へ向けて形成されていると、自動二輪車に搭載されて走行中に前方から流れる空気で冷却されることがないエンジンのシリンダ後方へ温度の低い冷却水を供給できることから、好ましい実施形態となる。
【発明の効果】
【００１４】
前述のように構成された本発明にかかるレジャービィークル用エンジンによると、ウォーターポンプからゴムホースを介することなく、シリンダやシリンダヘッドへ冷却水を供給することが可能となり、外観美が製品評価の重要なポイントの一つとなる自動二輪車等のレジャービィークルにおいて、シンプルな外観のエンジンを得ることができる。
【発明を実施するための最良の形態】
【００１５】
以下、本発明にかかるレジャービィークル用エンジンを、レジャービィークルの一種である自動二輪車用の水冷式４サイクルエンジンを例に挙げて、そのエンジンの実施形態を図面を参照しながら具体的に説明する。
【００１６】
図１は本発明の一実施形態にかかるレジャービィークル用エンジン（内燃機関）の全体の概略の構成を一部断面して示す側面図、図２は図１に示すエンジンにおけるオイルポンプとウォーターポンプ部分の配置状態を示す図１のII−II矢視での部分拡大図である。
【００１７】
図１に図示するように、本実施形態にかかる４サイクルエンジンＥは、複数の気筒（この実施形態の場合４気筒）を有する。そして、エンジンＥのクランクシャフト１は、略上下に２分割されたクランクケース２の割り面２Ｃの間に、メインジャーナル軸受（ベアリング）３を介して、回転自在に支承されている。なお、本実施形態では、前記クランクケース２は、エンジンＥ後方の変速装置Ｍ、ジェネレータ１７部分、モーメントバランサ１６部分のケーシングと一体になっているが、必ずしもこれらのケーシングと一体になっている必要はなく、これらのケーシングと別体となっていてもよい。
そして、前記クランクシャフト１を回転自在に保持する、前記クランクケース２の上部クランクケース２Ｕと下部クランクケース２Ｌとは、メインジャーナル固定ボルト４によって取着されている。具体的には、図２に図示するように、クランクシャフト１を回転自在に保持するメインジャーナル軸受３（図１参照）１個（１つ）当たり、１対（２本）のメインジャーナル固定ボルト４によって取着されている。
従って、この実施形態のように、４気筒エンジンの場合、前記クランクシャフト１は５個のメインジャーナル軸受３によって、回転自在に保持され、各メインジャーナル軸受３は、１対のメインジャーナル固定ボルト４によって固定される。このため、クランクシャフト１は、合計１０本のメインジャーナル固定ボルト４によって（前記メインジャーナル軸受３を介して）、回転自在に取着されることになる。なお、図２では、図面の都合上、エンジンＥの左端部の２対のメインジャーナル固定ボルト４とその取着穴５のみが図示されている。従って、実際には、図２の右側には、図示しない３対（６本）のメインジャーナル固定ボルト４とその取着穴５が存在している。
【００１８】
そして、図１に示すように、前記メインジャーナル固定ボルト４の取着領域（各メインジャーナル固定ボルト４間を結んだ内方の領域）の下方には、図２に示すように、該クランクケース２とは別体になった、オイルポンプ７が配設されている。そして、この実施形態のように、エンジンがドラインサンプ型である場合には、前記オイルポンプ７は、その上方に位置する前記クランク室Ｃｒの底部２ｍ（図２参照）に対して複数の取着ボルト８によって着脱自在に取着されている。しかし、前記底部２ｍが存在しないウエットサンプ型エンジンの場合には、前記オイルポンプ７は、前記メインジャーナル軸受３のハウジング部分あるいはそこから付設されている取付部（図示せず）に、ボルトによって着脱自在に取着される。従って、前記ドラインサンプ型エンジンであるかウエットサンプ型エンジンであるかにかかわらず、前記オイルポンプ７は、複数の取着ボルト８を取り外すことによって、エンジン本体Ｅ１、具体的にはクランクケース２（正確には下部クランクケース２Ｌ）側から、簡単に取り外すことができるように構成されている。
また、前記オイルポンプ７は、この実施形態のように、ドラインサンプ型エンジンの場合には、上方が前記クランク室Ｃｒの底部２ｍによって、また側方および下方がオイルパン２５（図１参照）によって覆われている。そして、このオイルパン２５は、下部クランクケース２Ｌの下端に、複数の取着ボルト２６（図１参照）によって取着されている。従って、オイルポンプ７を取り外す際には、図１に図示するように、前記下部クランクケース２Ｌにオイルパン２５を取着している取着ボルト２６を取り外して、クランクケース２からオイルパン２５を先に取り外しておく必要があることは言うまでもない。また、ここで「別体になった」とは、オイルポンプ７（あるいはウォーターポンプ９）が、クランクケース２側から取り外した状態においても、ポンプとしての機能を果たすように、クランクケース２の一部をオイルポンプ７の隔壁やポンプケーシング等の一部として利用していない形態を言う。
【００１９】
そして、図２に図示するように、前記オイルポンプ７の回転軸７Ｓと同軸上に、ウォーターポンプ９の回転軸９Ｓが位置するように、該ウォーターポンプ９が配置されている。このウォーターポンプ９は、図２に図示するように、前記オイルポンプ７の側方で本エンジンＥの側部（この場合、エンジンの左側部）に位置することになる。このウォーターポンプ９も、前記クランクケース２とは別体になり、従って、ウォーターポンプ９をクランクケース２側に取着する複数の取着ボルト２４を取り外すことによって、このウォーターポンプ９を、クランクケース２側から取り外すことができる。また、前記オイルポンプ７に対して、このウォーターポンプ９は別体になっている。ただ、ウォーターポンプ９の回転軸９Ｓとオイルポンプ７の回転軸７Ｓは、凹凸形状からなる係合構造（噛み合い構造）３１によって、回転方向に対して、一体に回転するよう係合している。そして、前記回転軸９Ｓは回転軸７Ｓから単にその軸方向に引き抜くことによって、互いに、分離することが可能となっている。
【００２０】
そして、図２に図示するように、前記ウォーターポンプ９は、エンジンＥの本体部分Ｅ１の側方に隣接して外観上一体の如く配置され、該ウォーターポンプ９の吐出口９ｄは、前記クランクケース２に形成された冷却水通路１０の供給口１０ｉに液密式に接続されている。なお、図２において、参照番号３２は、液密式に接続するためのパッキンを示す。
【００２１】
そして、図１に図示するように、前記冷却水通路１０は、エンジンＥのクランクケース２から、その上方のシリンダ１１およびシリンダヘッド１２部分の冷却水通路１９に連通している。前記シリンダ１１およびシリンダヘッド１２部分では、前記冷却水通路１９は、該シリンダ１１およびシリンダヘッド１２の全周域（シリンダ１１の前方域から側方域および後方域にかけての部分、シリンダヘッド１２の前方域から側方域および後方域にかけての部分）に至って形成されているウォータージャケット３３と一体に形成され、シリンダ１１およびシリンダヘッド１２の要冷却部分を冷却することができるよう構成されている。
そして、前記冷却水通路１９の排出口１９ｅは、エンジンＥの上部に設けられており、この排出口１９ｅから、図３に図示するように、エンジンＥ前方に配設されているラジエータ２０の供給口に短いゴムホース２１を介して接続される。
【００２２】
また、図１に図示するように、前記オイルポンプ７（図２参照：ウォーターポンプ９の紙面奥方に位置する）の前方には該オイルポンプ７から圧送されるオイルを冷却するためのオイルクーラ１３が付設されている。また、このエンジンＥには、前記クランクシャフト１から変速装置Ｍ側へ動力を伝達する入力軸１４と、変速装置Ｍ内部の図示しない変速用歯車列を介して前記入力軸１４から伝達された回転を変速して出力する出力軸１５を備えた当該変速装置Ｍが付設されている。さらに、このエンジンＥには、振動を低減させるためのモーメントバランサ（単に「バランサー」とも呼ばれる）１６と、ジェネレータ（発電機）１７が付設されている。そして、エンジンＥのシリンダヘッド１２の後部には、スロットルボディ（図示せず）を取着するための取着部２８が設けられており、また、シリンダ１２の前部には排気管（図示せず）を取着するための排気管接続部２９が設けられている。
【００２３】
また、本実施形態では、前記クランクケース２には、前記クランクシャフト１、モーメントバランサ１６、ジェネレータ１７の各回転軸芯（ジェネレータ１７の回転軸は図示せず）を結ぶ線に沿って、前記割り面２Ｃが形成されている。また、前記クランクシャフト１と前記入力軸１４との間は、図示しない歯車列を介して、動力が伝達されるよう構成されている。また、前記オイルポンプ７の回転軸７Ｓ（図２参照）には、前記クランクシャフト１側から図示しないギヤ列を介して、動力が伝達されるよう構成されている。
【００２４】
そして、前述のように構成された本実施形態にかかる自動二輪車３０の水冷式の４サイクルエンジンは、以下のような作用効果を奏する。つまり、
前述のように、図２に示すように、前記ウォーターポンプ９の吐出口９ｄとクランクケース２内に形成された冷却水通路１０の供給口１０ｉとは直接接続され、従って、ウォーターポンプ９からエンジンＥの冷却水通路１９へは、従来のようにゴムホースを介することなく、前記冷却通路１０を介して冷却水が供給され、且つ、エンジンＥの下部からエンジンＥの上部へはエンジンＥのシリンダ１１およびシリンダヘッド１２の各壁内に形成された冷却通路１９を通って冷却水が供給される。このため、目立つ黒色のゴムホースが、エンジンＥの外方を、下部から上部へ延設されることがない。
【００２５】
このため、図３に図示するように、外観が重要視される自動二輪車３０に搭載された場合には、シンプルな外観を得ることができる。
【００２６】
また、ウォーターポンプ９から冷却水通路１０，１９にかけて、全て剛性の高い通路で構成されるため、通路形状が冷却水の圧力の変動によって変化することがないため、圧力損失の低い状態で冷却水を供給することができる点でも優れた構成となる。
【００２７】
また、前記ウォーターポンプ９やオイルポンプ７をエンジン本体Ｅ１から取り外して点検したり修理したする場合にも、前述のように、簡単に取り外すことができる点で好ましい構成となる。
【００２８】
ところで、前記実施形態では、自動二輪車用のエンジンを例に挙げて説明したが、他のレジャービィークルの場合にも、エンジンが外観から見えるところに配置される場合には、同様に外観上の作用効果を得ることができることは言うまでもない。
【００２９】
また、前記実施形態では、オイルポンプ７の前方側に、つまりエンジンＥの前壁内に冷却水通路１０を形成している。
しかし、これに代えて、図４に図示するように、オイルポンプの後方側（変速装置Ｍ側）のエンジンＥの後壁側へウォーターポンプ９の吐出口９ｄが位置するような構成にして、該吐出口９ｄを、エンジンＥのクランクケース２の後壁に形成した冷却水通路１０の供給口１０ｉに接続して、エンジンＥの後壁内の冷却通路１０，１９を経て下部から上方へ冷却水を供給するように構成してもよい。かかる構成では、エンジン後壁の比較的冷却風が当たらない部分へ温度の低い冷却水を最初に供給することができるため、エンジンの前部と後部とで、温度分布が均等なエンジンとすることができる点で好ましい。なお、図４において、図１と同じ主な構成には同じ参照番号を付して、詳しい説明は省略する。
【００３０】
また、前記各実施形態において、オイルポンプとウォーターポンプが別体になっているが、該オイルポンプとウォーターポンプを一体のものとしてもよい。
【００３１】
なお、前記オイルポンプ７は、前述した実施形態のようにエンジンがドライサンプ型である場合には、クランク室Ｃｒ外に配置されることになり、また、エンジンがウエットサンプ型である場合には、クランク室Ｃｒ内に配置されることなる。
【産業上の利用可能性】
【００３２】
本発明にかかるレジャービィークル用エンジンは、各種のレジャービィークル等に利用することができる。
【図面の簡単な説明】
【００３３】
【図１】本発明の一実施形態にかかるレジャービィークル用エンジンの全体の概略の構成を示す側面図である。
【図２】図１に示すエンジンにおけるオイルポンプとウォーターポンプとの配置を示す図１のII−II矢視部分拡大図である。
【図３】図１に示すエンジンを搭載した自動二輪車の全体側面図である。
【図４】図１〜図３に示すエンジンとは別の実施形態にかかるエンジンの構成を示す、図１に対応するエンジンの側面図である。
【符号の説明】
【００３４】
１…クランクシャフト
２…クランクケース
４…メインジャーナル固定ボルト
７…オイルポンプ
７Ｓ…オイルポンプの回転軸
９…ウォーターポンプ
９Ｓ…ウォーターポンプの回転軸
Ｅ…エンジン
【図１】
2007107492.tif 000003
【図２】
2007107492.tif 000004
【図３】
2007107492.tif 000005
【図４】
2007107492.tif 000006